(57)【要約】【課題】テレビ電話を開始する前に、送信する映像が通話相手にどのように見えるのかを使用者が確認できるテレビ電話装置を提供する。【解決手段】テレビ電話の着信時に、使用者がリモコン１０８の保留ボタン１０８を押すことにより、入力手段１０４で撮影した使用者の映像データを、受信データ切替手段１０２を介して出力手段１０３に入力して映像表示し、テレビ電話を開始する前に通話相手に送信する映像を使用者が確認する。【選択図】図１
2006332968.tif 000002
【特許請求の範囲】
【請求項１】
通信回線を介して通話相手のテレビ電話装置との間で映像データ及び音声データの送受信を行う通信手段と、
撮影した映像を映像データに変換し、及び集音した音声を音声データに変換して出力する入力手段と、
映像データを映像に変換して表示し、及び音声データを音声に変換して出力する出力手段と、
保留コマンド及び通話開始コマンドを発生するコマンド発生手段と、
前記通信手段からの映像データ及び音声データ、ならびに前記入力手段からの映像データ及び音声データを入力とし、前記コマンド発生手段からのコマンドに従い、前記２つの入力のいずれかを切り替えて前記出力手段に出力する受信データ切替手段とを備え、
前記受信データ切替手段は、保留コマンドが入力された場合、前記入力手段からの少なくとも映像データを前記出力手段に出力し、通話開始コマンドが入力された場合、前記通信手段からの映像データ及び音声データを前記出力手段に出力することを特徴とするテレビ電話装置。
【請求項２】
代替の映像データ及び音声データのうち少なくとも映像データを格納する代替データ格納手段と、
前記入力手段からの映像データ及び音声データ、ならびに前記代替データ格納手段からの映像データ及び存在する場合には音声データを入力とし、前記コマンド発生手段からのコマンドに従い、前記２つの入力のいずれかを切り替えて前記通信手段に出力する送信データ切替手段とを更に備え、
前記送信データ切替手段は、保留コマンドが入力された場合、前記代替データ格納手段からの映像データ及び存在する場合には音声データを前記通信手段に出力し、通話開始コマンドが入力された場合、前記入力手段からの映像データ及び音声データを前記通信手段に出力することを特徴とする請求項１に記載のテレビ電話装置。
【請求項３】
前記代替データ格納手段に、代替の映像データ及び音声データとして通話相手に対して使用者がテレビ電話にすぐに出ることができない旨を伝える内容の映像データ及び音声データが格納されていることを特徴とする請求項２に記載のテレビ電話装置。
【請求項４】
請求項２に記載の構成に代え、前記送信データ切替手段は、保留コマンドが入力された場合、前記入力手段から入力された音声データを前記通信手段に出力し、前記代替データ格納手段から入力された映像データを前記通信手段に出力することを特徴とするテレビ電話装置。
【請求項５】
前記コマンド発生手段を、少なくとも保留コマンド及び通話開始コマンドを発信するリモートコントローラと、前記リモートコントローラからのコマンドを受信するリモートコントローラ信号受信手段で構成したことを特徴とする請求項１に記載のテレビ電話装置。
【請求項６】
前記リモートコントローラは保留コマンドを出力する保留ボタン及び通話開始コマンドを出力する通話開始ボタンを具備したことを特徴とする請求項５に記載のテレビ電話装置。
【請求項７】
通信相手のテレビ電話装置のアドレス情報を記録するアドレス記録手段を更に備え、
前記アドレス記録手段は、テレビ電話の着信があった場合に通話相手のテレビ電話装置のアドレス情報をあらかじめ記録されたアドレス情報と比較し、一致しない場合には前記コマンド発生手段から保留コマンドを出力させると共に前記アドレス情報を記録し、一致する場合には前記コマンド出力手段から通話開始コマンドを出力させることを特徴とする請求項１に記載のテレビ電話装置。
【請求項８】
前記コマンド発生手段は、通話相手からの着信から一定時間後に保留コマンドを出力することを特徴とする請求項７に記載のテレビ電話装置。
【請求項９】
前記コマンド発生手段において、通話相手からの着信時から保留コマンドを出力するまでの時間を使用者が設定可能としたことを特徴とする請求項８に記載のテレビ電話装置。
【請求項１０】
前記アドレス記録手段に記録されるアドレス情報は、通話相手の名前、通話相手のテレビ電話装置のＩＰアドレス、電話番号及びＩＤのいずれかであることを特徴とする請求項７に記載のテレビ電話装置。
【請求項１１】
前記アドレス記録手段に記録されるアドレス情報を使用者が入力可能としたことを特徴とする請求項７に記載のテレビ電話装置。
【発明の詳細な説明】
【技術分野】
【０００１】
本発明は、インターネット網や回線交換網等の通信回線を介して通話相手と映像や音声の送受信を行うテレビ電話装置に関する。
【背景技術】
【０００２】
近年、インターネット網の広帯域化により、離れた場所において通話相手との間で音声だけでなく撮影映像を送受信するテレビ電話装置が各家庭にも普及しつつある。ところで、テレビ電話においては、使用者をカメラで撮影した映像を通話相手に送信する際に、使用者のみならず使用者周囲の背景の映像まで撮影してしまうため、周囲の背景が整理整頓されていない場合等、通話相手に見せたくない映像まで送信してしまうという問題がある。
【０００３】
この問題を解決するものとして、例えば特許文献１に開示された方法がある。図７は特許文献１に記載された従来のテレビ電話装置の概略構成を示したものである。
【０００４】
図７のテレビ電話装置は、装置全体の動作を制御するＣＰＵ７０１、入出制御プログラム等の各種プログラムが格納されたＲＯＭ７０２、各種のキーを備えた入力部７０３、ビデオカメラからなる画像撮影部７０４、画像データ及び音声データを変復調すると共に、受信バッファ７０６及び発信バッファ７０７を介して通話相手との間で送受信するモデム内臓回線制御部７０５、通話相手の画像を表示するモニタ表示部７０８、マイクロホン及びスピーカからなる音声入出力部７０９、及び画像合成メモリ７１０で構成されている。
【０００５】
上記従来のテレビ電話装置において、入力部７０３に設けられたモード切替スイッチ７１１は通常モード、画像加工モード等に切り替えるもので、ＣＰＵ７０１はこのモード切替状態を判別する。モード切替スイッチ７１１が画像加工モードにセットされている際に、テレビ電話の通信回線が接続されると、ＣＰＵ７０１は画像合成メモリ７１０を用いて、画像撮影部７０４によって撮影された自画像の背景部分等にＲＯＭ７０２に格納されたモザイクパターンを重ね合わせることにより撮影画像を加工する。このようにして加工され、背景部分等をぼかした画像がモデム内蔵回線制御部５を介して通話相手に送信される。
【特許文献１】特開平９−２００７１４号公報
【発明の開示】
【発明が解決しようとする課題】
【０００６】
上述したように、従来のテレビ電話装置では、通話相手に見せたくない背景部分等をモザイクパターンでぼかした画像を通話相手に送ることができるが、使用者がテレビ電話を開始する前に、送信する映像が通話相手にどのように見えるのかを事前に確認することができないという問題があった。
【０００７】
本発明の目的は、テレビ電話に先駆け、通話相手に送信する使用者及び周囲の映像を使用者が確認することを可能とするテレビ電話装置を提供することにある。
【課題を解決するための手段】
【０００８】
上記課題を解決するため、本発明のテレビ電話装置は、通信回線を介して通話相手のテレビ電話装置との間で映像データ及び音声データの送受信を行う通信手段と、撮影した映像を映像データに変換し、及び集音した音声を音声データに変換して出力する入力手段と、映像データを映像に変換して表示し、及び音声データを音声に変換して出力する出力手段と、保留コマンド及び通話開始コマンドを発生するコマンド発生手段と、前記通信手段からの映像データ及び音声データ、ならびに前記入力手段からの映像データ及び音声データを入力とし、前記コマンド発生手段からのコマンドに従い、前記２つの入力のいずれかを切り替えて前記出力手段に出力する受信データ切替手段とを備え、前記受信データ切替手段は、保留コマンドが入力された場合、前記入力手段からの少なくとも映像データを前記出力手段に出力し、通話開始コマンドが入力された場合、前記通信手段からの映像データ及び音声データを前記出力手段に出力することを特徴とする。
【０００９】
上記本発明のテレビ電話装置において、代替の映像データ及び音声データのうち少なくとも映像データを格納する代替データ格納手段と、前記入力手段からの映像データ及び音声データ、ならびに前記代替データ格納手段からの映像データ及び存在する場合には音声データを入力とし、前記コマンド発生手段からのコマンドに従い、前記２つの入力のいずれかを切り替えて前記通信手段に出力する送信データ切替手段とを更に備え、前記送信データ切替手段は、保留コマンドが入力された場合、前記代替データ格納手段からの映像データ及び存在する場合には音声データを前記通信手段に出力し、通話開始コマンドが入力された場合、前記入力手段からの映像データ及び音声データを前記通信手段に出力することが好ましい。
【００１０】
また、前記代替データ格納手段に、代替の映像データ及び音声データとして通話相手に対して使用者がテレビ電話にすぐに出ることができない旨を伝える内容の映像データ及び音声データが格納されていることが好ましい。
【００１１】
また、上記構成に代え、前記送信データ切替手段は、保留コマンドが入力された場合、前記入力手段から入力された音声データを前記通信手段に出力し、前記代替データ格納手段から入力された映像データを前記通信手段に出力してもよい。
【００１２】
また、前記コマンド発生手段を、少なくとも保留コマンド及び通話開始コマンドを発信するリモートコントローラと、前記リモートコントローラからのコマンドを受信するリモートコントローラ信号受信手段で構成することが好ましい。前記リモートコントローラは保留コマンドを出力する保留ボタン及び通話開始コマンドを出力する通話開始ボタンを具備してもよい。
【００１３】
また、本発明のテレビ電話装置において、通信相手のテレビ電話装置のアドレス情報を記録するアドレス記録手段を更に備え、前記アドレス記録手段は、テレビ電話の着信があった場合に通話相手のテレビ電話装置のアドレス情報をあらかじめ記録されたアドレス情報と比較し、一致しない場合には前記コマンド発生手段から保留コマンドを出力させると共に前記アドレス情報を記録し、一致する場合には前記コマンド出力手段から通話開始コマンドを出力させることが好ましい。
【００１４】
なお、前記コマンド発生手段は、通話相手からの着信から一定時間後に保留コマンドを出力してもよい。更に、前記コマンド発生手段において、通話相手からの着信時から保留コマンドを出力するまでの時間を使用者が設定可能としてもよい。
【００１５】
また、前記アドレス記録手段に記録されるアドレス情報は、通話相手の名前、通話相手のテレビ電話装置のＩＰアドレス、電話番号及びＩＤのいずれかであることが好ましい。更に、前記アドレス記録手段に記録されるアドレス情報を使用者が入力可能としてもよい。
【発明の効果】
【００１６】
本発明のテレビ電話装置によれば、テレビ電話がかかってきた際、テレビ電話による会話を行う前に通話相手に送信する映像を使用者が確認できるため、通話相手に見せたくない映像を送信してしまうことを未然に防止できる。
【発明を実施するための最良の形態】
【００１７】
以下、本発明の実施の形態について、図面を参照しながら説明する。
（実施の形態１）
図１は、本発明の実施の形態１におけるテレビ電話装置のブロック図である。図において、テレビ電話装置１００は、通信手段１０１、受信データ切替手段１０２、出力手段１０３、入力手段１０４、送信データ切替手段１０５、代替データ格納手段１０６、及びリモートコントローラ信号受信手段１０７（以下リモコン信号受信手段と略す）、及びリモートコントローラ（以下リモコンと略す）１０８で構成される。
【００１８】
通信手段１０１は、インターネット網や回線交換網等の通信回線を介して通話相手のテレビ電話装置との間で映像データ及び音声データの送受信を行うもので、通話相手からテレビ電話の着信があった場合には、受信データ切替手段１０２に呼び出し音の音声データを出力する。一方、リモコン信号受信手段１０７から保留コマンド若しくは通話開始コマンドが入力された場合には、通話相手から受信した映像データ及び音声データを受信データ切替手段１０２に出力すると共に、送信データ切替手段１０５からの映像データ及び音声データを通話相手に送信する。
【００１９】
受信データ切替手段１０２は、通信手段１０１からの映像データ及び音声データ、ならびに入力手段１０４からの映像データ及び音声データを入力とし、リモコン信号受信手段１０７からのコマンドに従い、２つの入力のいずれかを切り替えて出力手段１０３に出力する。リモコン信号受信手段１０７から保留コマンドが入力された場合は、通信手段１０１から入力される映像データ及び音声データを破棄し、入力手段１０４からの映像データ及び音声データを出力手段１０３に出力する。一方、リモコン信号受信手段１０７から通話開始コマンドが入力された場合は、入力手段１０４から入力される映像データ及び音声データを破棄し、通信手段１０１からの映像データ及び音声データを出力手段１０３に出力する。
【００２０】
出力手段１０３は、受信データ切替手段１０２からの映像データを映像に変換して表示すると共に、音声データを音声に変換して出力する。
【００２１】
入力手段１０４は、使用者の姿を撮影すると共に音声を集音し、変換した映像データ及び音声データを送信データ切替手段１０５及び受信データ切替手段１０２に出力する。
【００２２】
送信データ切替手段１０５は、入力手段１０４からの映像データ及び音声データ、ならびに代替データ格納手段１０６からの映像データ及び音声データを入力とし、リモコン信号受信手段１０７からのコマンドに従い、２つの入力のいずれかを切り替えて通信手段１０１に出力する。リモコン信号受信手段１０７から保留コマンドが入力された場合は、入力手段１０４から入力される映像データ及び音声データを破棄し、代替データ格納手段１０６からの映像データ及び音声データを通信手段１０１に出力する。一方、リモコン信号受信手段１０７から通話開始コマンドが入力された場合には、代替データ格納手段１０６からの映像データ及び音声データを破棄し、入力手段１０４からの映像データ及び音声データを通信手段１０１に出力する。
【００２３】
代替データ格納手段１０６は、あらかじめ映像データ及び音声データが格納されており、これらのデータを送信データ切替手段１０５に出力する。代替データ格納手段１０６に格納される映像データおよび音声データの例として、「少々お待ち下さい」等の通話相手に対して使用者がテレビ電話にすぐに出ることができない旨を伝える内容の映像メッセージや音声メッセージが挙げられる。
【００２４】
リモコン信号受信手段１０７とリモコン１０８は、受信データ切替手段１０２及び送信データ切替手段１０５の出力を切り替えるコマンドを発生するコマンド発生手段を構成する。リモコン信号受信手段１０７は、リモコン１０８から赤外線等によって送られてくる保留コマンド及び通話開始コマンドを通信手段１０１、送信データ切替手段１０５及び受信データ切替手段１０２に転送する。リモコン１０８は保留ボタン１０８ａ及び通話開始ボタン１０８ｂを具備し、保留ボタン１０８ａが使用者により押されると、リモコン信号受信手段１０７に保留コマンドを出力し、通話開始ボタン１０８ｂが使用者により押されると、リモコン信号受信手段１０７に通話開始コマンドを出力する。
【００２５】
以上の様に構成されたテレビ電話装置のテレビ電話着信時の動作について説明する。通話相手からテレビ電話の着信があった時、通信手段１０１は呼び出し音の音声データを受信データ切替手段１０２を介して出力手段１０３に出力し、出力手段１０３は呼び出し音を鳴らして使用者を呼び出す。
【００２６】
テレビ電話装置１００の使用者は呼び出し音を受けて、リモコン１０８の保留ボタン１０８ａを押す。リモコン１０８は、保留ボタン１０８ａの操作を受けてリモコン信号受信手段１０７に対して保留コマンドを送信し、リモコン信号受信手段１０７は、保留コマンドを通信手段１０１、受信データ切替手段１０２及び送信データ切替手段１０５に転送する。通信手段１０１は保留コマンドの入力を受けて、通話相手から受信した映像データ及び音声データを受信データ切替手段１０２に出力する。
【００２７】
受信データ切替手段１０２は、通信手段１０１及び入力手段１０４の両方から映像データ及び音声データが入力されるが、リモコン信号受信手段１０７からの保留コマンドの入力を受けて、通信手段１０１から入力される映像データ及び音声データを破棄し、入力手段１０４からの映像データ及び音声データを出力手段１０３に出力する。出力手段１０３は入力手段１０４からの映像データを映像に変換して画面表示し、音声データを音声に変換して出力する。
【００２８】
また、送信データ切替手段１０５は入力手段１０４と代替データ格納手段１０６の両方から映像データ及び音声データが入力されるが、リモコン信号受信手段１０７からの保留コマンドの入力を受けて、入力手段１０４からの映像データ及び音声データを破棄し、代替データ格納手段１０６からの映像データ及び音声データを通信手段１０１を介して通話相手に送信する。
【００２９】
これにより使用者は、通話相手からテレビ電話の着信があった場合、保留ボタン１０８ａを押すことで通話相手とのテレビ電話は保留状態に入り、代替映像及び代替音声で通話相手に待ってもらう旨を通知し、その一方、入力手段１０４が撮影する映像を出力手段１０３に表示することで通話相手に送信する映像の事前確認が可能となる。
【００３０】
次に事前確認が終わり、使用者が通話相手とテレビ電話で通話する時の動作について説明する。使用者がリモコン１０８の通話開始ボタン１０８ｂを押すと、リモコン１０８はリモコン信号受信手段１０７に対して通話開始コマンドを送信する。リモコン信号受信手段１０７は通話開始コマンドを通信手段１０１、受信データ切替手段１０２及び送信データ切替手段１０５に転送する。
【００３１】
通信手段１０１は通話開始コマンドの入力を受けて、保留コマンドを入力された場合と同様に通話相手から受信した映像データと音声データを受信データ切替手段１０２に出力する。受信データ切替手段１０２はリモコン信号受信手段１０７からの通話開始コマンド入力を受けて、入力手段１０４からの映像データ及び音声データを破棄し、通信手段１０１からの映像データ及び音声データを出力手段１０３に出力する。出力手段１０３は受信データ切替手段１０２からの映像データを映像に変換して画面表示し、音声データを音声に変換して出力する。
【００３２】
また、送信データ切替手段１０５は、リモコン信号受信手段１０７からの通話開始コマンドの入力を受けて、代替データ格納手段１０６からの映像データ及び音声データを破棄し、入力手段１０４からの映像データ及び音声データを通信手段１０１を介して通話相手に送信することで、通話相手とのテレビ電話が開始される。
【００３３】
図２に通話相手からテレビ電話がかかってきた時のテレビ電話装置の処理フローを示す。通話相手からテレビ電話の着信があった際に（Ｓ２０１）、使用者はリモコン１０８の保留ボタン１０８ａを押すかどうかを判断する（Ｓ２０２）。保留ボタン１０８ａを押した場合（ＹＥＳ）、テレビ電話装置１００は入力手段１０４が撮影した映像データ及び音声データを出力手段１０３で画面表示し、更に音声出力する（Ｓ２０３）。次に通話相手に対しては、代替データ格納手段１０６に格納された代替映像及び代替音声を送信し（Ｓ２０４）、保留状態に入る。使用者は通話相手に送信する映像の確認を行った上で通話開始ボタン１０８ｂを押すかどうか選択する（Ｓ２０５）。
【００３４】
使用者がリモコン１０８の通話開始ボタン１０８ｂを押した場合（ＹＥＳ）には、使用者は通話相手とテレビ電話により通話を開始し（Ｓ２０６）、使用者が通話開始ボタン１０８ｂを押さない場合（ＮＯ）には、使用者は通話相手とのテレビ電話を行わない（Ｓ２０７）。
【００３５】
図３に、使用者が保留ボタン１０８ａを押してから通話開始ボタン１０８ｂを押すまでの間の、使用者のテレビ電話装置のテレビ画面に表示される映像の一例（Ａ）と、通話相手のテレビ電話装置のテレビ画面に表示される映像の一例（Ｂ）を示す。図３に示すように、使用者が保留ボタン１０８ａを押してから通話開始ボタン１０８ｂを押すまでの間は、使用者のテレビ電話装置のテレビ画面３０１には使用者自身の映像が表示され、通話相手のテレビ電話装置のテレビ画面３０２には使用者のテレビ電話装置の代替データ格納手段１０６に格納された映像が表示される。
【００３６】
一方、図４には、使用者が通話開始ボタン１０８ｂを押してからの、使用者のテレビ電話装置のテレビ画面に表示される映像の一例（Ａ）と、通話相手のテレビ電話装置のテレビ画面に表示される映像の一例（Ｂ）を示す。図４に示すように、使用者のテレビ電話装置のテレビ画面４０１には通話相手の映像が、通話相手のテレビ電話装置のテレビ画面４０２には使用者の映像が表示され、テレビ電話による通話が可能となる。
【００３７】
以上のように、実施の形態１の構成によれば、通話相手からのテレビ電話の着信時に、使用者がテレビ電話に先駆けて、通話相手に送信される使用者自身及び周囲の映像を事前に確認したい場合は、リモコン１０８に設けられた保留ボタン１０８ａを押すことでテレビ電話は保留状態に入り、その間に使用者は通話相手に送信する映像を確認することが可能となる。
【００３８】
なお、本発明の実施の形態１において、使用者が保留ボタン１０８ａを押した場合、入力手段１０４からの映像データ及び音声データを出力手段１０３に出力するとしたが、映像データがあれば通話相手に送信する映像の事前確認が可能であるため、音声データについては必ずしも出力する必要はない。
【００３９】
また、本発明の実施の形態１において、使用者が保留ボタン１０８ａを押してから通話開始ボタン１０８ｂを押すまでの間は、使用者のテレビ電話装置からは代替データ格納手段１０６からの音声データが通話相手に送信されていたが、それに限るものではなく、例えば、入力手段１０４からの音声データのみを通話相手に送信することで、保留ボタン１０８ａを押してから通話開始ボタン１０８ｂを押すまでの間であっても通話相手との音声による通話は行えるものであっても良い。
【００４０】
また、本発明の実施の形態１において、保留ボタン１０８ａを押してから通話開始ボタン１０８ｂを押すまでの間は、使用者のテレビ電話装置からは代替データ格納手段１０４からの映像データ及び音声データが通話相手に送信されていたが、それに限るものではなく、例えばテレビ電話装置の外部に備え付けられたＶＴＲ等の映像音声出力機器からの映像データ及び音声データをテレビ電話装置に入力し、通話相手に送信しても良い。また通話相手に送信されるのは映像データだけであっても良い。
【００４１】
また、本発明の実施の形態１において、通話相手からの着信時に使用者は保留ボタン１０８ａを押していたが、それに限るものではなく、通話相手とのテレビ電話を行っている途中に保留ボタン１０８ａを押して保留状態に入っても良い。
（実施の形態２）
【００４２】
図５は本発明の実施の形態２におけるテレビ電話装置のブロック図であり、通信手段１０１は、実施の形態１の動作に加えて、テレビ電話の着信の際にアドレス記録手段５０１に通話相手のテレビ電話装置のＩＰアドレスを出力する。
【００４３】
図５の構成において、アドレス記録手段５０１は、通信手段１０１から通話相手のテレビ電話装置のＩＰアドレスが入力された際には、アドレス記録手段５０１にあらかじめ記録されているＩＰアドレスを参照し、同じＩＰアドレスが記録されていなければリモコン信号受信手段１０７に保留コマンドを出力し、ＩＰアドレスを記録する。一方、同じＩＰアドレスがすでに記録されていれば、リモコン信号受信手段１０７に対して通話開始コマンドを出力する。
【００４４】
リモコン信号受信手段１０７は、実施の形態１の動作に加えて、アドレス記録手段５０１から保留コマンドが入力された際には、通信手段１０１、受信データ切替手段１０２及び送信データ切替手段１０５に保留コマンドを出力する。一方、アドレス記録手段５０１から通話開始コマンドが入力された際には、通信手段１０１、受信データ切替手段１０２及び送信データ切替手段１０５に通話開始コマンドを出力する。その他の構成及び動作については実施の形態１と同様であるため説明を省略する。
【００４５】
以上の様に構成されたテレビ電話装置のテレビ電話着信時の動作について説明する。通話相手からテレビ電話の着信があった時、通信手段１０１は呼び出し音の音声データを受信データ切替手段１０２を介して出力手段１０３に出力し、出力手段１０３は呼び出し音を鳴らして使用者を呼び出すと共に、通話相手のテレビ電話装置のＩＰアドレスをアドレス記録手段５０１に出力する。
【００４６】
アドレス記録手段５０１は、通信手段１０１からのＩＰアドレスの入力を受けて、アドレス記録手段５０１にあらかじめ記録されているＩＰアドレスと比較し、記録済のＩＰアドレスと一致しなければ、即ち同じＩＰアドレスが記録されていなければ、ＩＰアドレスを記録すると共に保留コマンドをリモコン信号受信手段１０７に出力する。一方、同じＩＰアドレスが既に記録されていた場合には、リモコン信号受信手段１０７へ通話開始コマンドを出力する。
【００４７】
まず、アドレス記録手段５０１がリモコン信号受信手段１０７へ保留コマンドを出力した際のテレビ電話装置の動作について説明する。
【００４８】
リモコン信号受信手段１０７は、アドレス記録手段５０１からの保留コマンド入力を受けて、保留コマンドを通信手段１０１、受信データ切替手段１０２及び送信データ切替手段１０５に出力する。通信手段１０１は保留コマンドの入力を受けて、通話相手から受信した映像データ及び音声データを受信データ切替手段１０２に出力する。受信データ切替手段１０２はリモコン信号受信手段１０７からの保留コマンドの入力を受けて、通信手段１０１からの映像データ及び音声データを破棄し、入力手段１０４からの映像データ及び音声データを出力手段１０３に出力する。
【００４９】
出力手段１０３は、受信データ切替手段１０２からの映像データを映像に変換して画面に表示し、音声データを音声に変換して出力する。送信データ切替手段１０５はリモコン信号受信手段１０７からの保留コマンド入力を受けて、入力手段１０４からの映像データ及び音声データを破棄し、代替データ格納手段１０６からの映像データ及び音声データを通信手段１０１に出力し、通信手段１０１は送信データ切替手段１０５からの映像データ及び音声データを通話相手に送信する。これにより、通話相手からテレビ電話の着信があった場合、着信の通話相手がこれまでにテレビ電話を行ったことがない場合にはテレビ電話装置は保留状態に入り、使用者は、テレビ電話装置の出力手段１０３に表示される映像を用いて、通話相手に送信する映像の事前確認が可能となる。
【００５０】
事前確認が終わり、保留状態を解除して使用者が通話相手とテレビ電話を行う場合は、使用者はリモコン１０８の通話開始ボタン１０８ｂを押すことで、リモコン１０８はリモコン信号受信手段１０７に対して通話開始コマンドを送信する。リモコン信号受信手段１０７は通話開始コマンドの入力を受けて、通信手段１０１、受信データ切替手段１０２及び送信データ切替手段１０５に対して通話開始コマンドを出力する。
【００５１】
通信手段１０１はリモコン信号受信手段１０７からの通話開始コマンド入力を受けて、保留コマンドを入力された場合と同様に通話相手から受信した映像データと音声データを受信データ切替手段１０２に出力し、受信データ切替手段１０２はリモコン信号受信手段１０７からの通話開始コマンド入力を受けて、入力手段１０４からの映像データ及び音声データを破棄し、通信手段１０１から入力される映像データ及び音声データを出力手段１０３に出力する。出力手段１０３は入力された映像データを映像として画面表示し、音声データを音声出力する。
【００５２】
送信データ切替手段１０５は、リモコン信号受信手段１０７からの通話開始コマンド入力を受けて、代替データ格納手段１０６からの映像データ及び音声データを破棄し、入力手段１０４から入力される、使用者を撮影した映像データ及び音声データを通信手段１０１に出力し、通信手段１０１は映像データ及び音声データを通話相手に送信することで通話相手とのテレビ電話を開始する。
次に、アドレス記録手段５０１がリモコン信号受信部１０７に通話開始コマンドを出力した時のテレビ電話装置の動作について説明する。
【００５３】
リモコン信号受信手段１０７は、アドレス記録手段５０１からの通話開始コマンドを受けて、通信手段１０１、受信データ切替手段１０２及び送信データ切替手段１０５に通話開始コマンドを出力する。通信手段１０１はリモコン信号受信手段１０７からの通話開始コマンド入力を受けて、通話相手から受信した映像データと音声データを受信データ切替手段１０２に出力し、受信データ切替手段１０２は、入力手段１０４からの映像データ及び音声データを破棄し、通信手段１０１からの映像データ及び音声データを出力手段１０３に出力し、出力手段１０３は映像データを映像に変換して画面表示し、音声データを音声に変換して出力する。
【００５４】
送信データ切替手段１０５は、リモコン信号受信手段１０７からの通話開始コマンド入力を受けて、代替データ格納手段１０６からの映像データ及び音声データを破棄し、入力手段１０４からの映像データ及び音声データを通信手段１０１を介して通話相手に送信することで、保留状態に入ることなく通話相手とのテレビ電話を開始する。
【００５５】
図６に通話相手からのテレビ電話着信時におけるテレビ電話装置の処理フローを示す。図中、図２と同一のステップには同一の符号を付している。
【００５６】
通話相手からのテレビ電話の着信時（Ｓ２０１）に、使用者のテレビ電話装置５００は以前にテレビ電話を行った相手かどうかを判別する（Ｓ６０１）。以前にテレビ電話を行った相手であれば（ＹＥＳ）、テレビ電話装置５００は通話相手とのテレビ電話を開始する（Ｓ２０６）。一方、以前にテレビ電話を行ったことがない相手であれば（ＮＯ）、テレビ電話装置５００は入力手段１０４が撮影した映像を出力手段１０３で画面表示し、更に集音した音声を出力し（Ｓ２０３）、通話相手にはテレビ電話装置５００の代替データ格納手段１０６に格納された映像データ及び音声データを送信する（Ｓ２０４）ことで保留状態に入る。
【００５７】
使用者が通話相手に送信される映像の確認が終わった時点で、使用者はリモコン１０８の通話開始ボタン１０８ａを押すか否かの選択を行う（Ｓ２０５）。使用者が通話開始ボタン１０８ａを押した場合（ＹＥＳ）には、テレビ電話装置５００は通話相手とのテレビ電話による通話を開始し（Ｓ２０６）、通話開始ボタン１０８ａを押さない場合（ＮＯ）には、通話相手とのテレビ電話を行わない（Ｓ２０７）。
【００５８】
以上のように、実施の形態２の構成によれば、通話相手からのテレビ電話の着信時に、通話相手が以前にテレビ電話を行った相手であれば、通話相手に送信される映像の事前確認を行うことなく自動的にテレビ電話を開始し、一方、以前にテレビ電話を行ったことがない通話相手から着信があった場合であれば、自動的に保留状態に入り、使用者は通話相手に送信される映像の事前確認を行う。
【００５９】
なお、本発明の実施の形態２において、通話相手が以前にテレビ電話による通話を行ったことのない場合、着信時に使用者及び周囲の映像を使用者のテレビ電話装置に表示させるが、それに限るものではなく、着信時から一定時間の後に表示されるものであっても良く、その一定時間を使用者が設定するものでも良い。着信時から一定時間後に使用者及び周囲の映像を使用者のテレビ電話装置に表示させることで、使用者は着信時から一定時間の間に発生する呼び出し音により、使用者がテレビ電話装置から離れた場所にいる場合でも、着信を認識することが可能となる。
【００６０】
また、本発明の実施の形態２において、通話相手が以前にテレビ電話による通話を行ったことがある場合には、着信時にテレビ電話が開始されるが、それに限るものではなく、着信時から一定時間の後にテレビ電話が開始されるものであっても良く、その一定時間を使用者が設定するものでも良い。
【００６１】
また、本発明の実施の形態２において、アドレス記録手段５０１が記録するアドレス情報として通話相手のテレビ電話装置のＩＰアドレスを用いたが、それに限るものではなく、例えば通話相手の名前や、テレビ電話に用いられている電話番号であったり、ＩＤ等の通話相手のテレビ電話装置を特定できる情報であれば良い。
【００６２】
また、本発明の実施の形態２において、テレビ電話を行ったことのない通話相手のＩＰアドレスをテレビ電話装置が自動的に記録するが、それに限るものではなく、使用者がアドレス記録手段に記録するものでも良い。
【産業上の利用可能性】
【００６３】
本発明のテレビ電話装置は、通話相手に送信する映像を事前に確認することが可能であるため、本発明の実施の形態に記載されているようなテレビ電話に限らず、テレビ会議にも適用できるものである。
【図面の簡単な説明】
【００６４】
【図１】本発明の実施の形態１におけるテレビ電話装置のブロック図
【図２】本発明の実施の形態１におけるテレビ電話装置のテレビ電話着信時の処理フローを示す図
【図３】本発明の実施の形態１における、テレビ電話保留状態の使用者のテレビ電話装置及び通話相手のテレビ電話装置のテレビ画面の一例を示した図
【図４】本発明の実施の形態１における、テレビ電話通話状態の使用者のテレビ電話装置及び通話相手のテレビ電話装置のテレビ画面の一例を示した図
【図５】本発明の実施の形態２におけるテレビ電話装置のブロック図
【図６】本発明の実施の形態２おけるテレビ電話装置のテレビ電話着信時の処理フローを示す図
【図７】従来のテレビ電話装置の概略構成を示すブロック図
【符号の説明】
【００６５】
１００、５００    テレビ電話装置
１０１    通信手段
１０２    受信データ切替手段
１０３    出力手段
１０４    入力手段
１０５    送信データ切替手段
１０６    代替データ格納手段
１０７    リモコン信号受信手段
１０８    リモコン
３０１    保留状態における使用者のテレビ電話装置の画面
３０２    保留状態における通話相手のテレビ電話装置の画面
４０１    通話状態における使用者のテレビ電話装置の画面
４０２    通話状態における通話相手のテレビ電話装置の画面
５０１    アドレス記録手段
【図１】
2006332968.tif 000003
【図２】
2006332968.tif 000004
【図３】
2006332968.tif 000005
【図４】
2006332968.tif 000006
【図５】
2006332968.tif 000007
【図６】
2006332968.tif 000008
【図７】
2006332968.tif 000009